(57)【要約】【課題】粉末洗剤等の粉末状物質が充填された袋について、詰替用袋内の粉末状物質の残量等に関する情報を、明瞭かつタイムリーに、材料コストの増加を招かない簡便な手法で消費者に伝える。【解決手段】上面に開口部を有する箱形の容器本体２と、容器本体２の開口部を覆う蓋３とを備えた箱形容器１に収容される、粉末状物質Ｐが充填されたフィルム製の詰替用袋１０Ａは、袋底部にマチ１１を有し、袋上部が平袋型であり、マチ１１の両側部と袋胴部とが袋の底端部に対して傾いた斜めシール部１２ａでシールされ、袋１０Ａの外法の幅が上端部に対して底端部で狭い逆テーパー型の形状を有する。マチ１１の袋内面の、少なくとも前記斜めシール部１２ａに隣接した三角状領域１１ａには、文字、記号又は図形が表示されている。【選択図】図１
2015013665.tif 000002
【特許請求の範囲】
【請求項１】
上面に開口部を有する箱形の容器本体と、容器本体の開口部を覆う蓋とを備えた箱形容器に収容される、粉末状物質が充填されたフィルム製の詰替用袋であって、
袋底部にマチを有し、袋上部が平袋型であり、マチの両側部と袋胴部とが袋の底端部に対して傾いた斜めシール部でシールされ、袋の外法の幅が上端部に対して底端部で狭い逆テーパー型の形状を有し、
マチの袋内面の、少なくとも前記斜めシール部に隣接した三角状領域に、文字、記号又は図形が表示されている袋。
【請求項２】
袋底部のマチ形成フィルムと袋の表裏の胴部形成フィルムが別フィルムから形成されている請求項１記載の袋。
【請求項３】
マチ形成フィルムの袋外面が無地である請求項１又は２に記載の袋。
【請求項４】
マチの袋内面の表示に、粉末状物質の残量に関する表示、次の詰替用袋の準備を促す表示、又はアミューズメント的効果を有する表示が含まれる請求項１〜３のいずれかに記載の袋。
【請求項５】
マチの袋内面の表示の背景色が、粉末状物質と異なる色を有する請求項１〜４のいずれかに記載の袋。
【発明の詳細な説明】
【技術分野】
【０００１】
本発明は、粉末洗剤等の粉末状物質が充填された袋であって、箱形容器内で使用される詰替袋として好適な袋に関する。
【背景技術】
【０００２】
粉末洗剤等の顆粒ないし粉末の粉末状物質を充填した詰替用袋として、底部にマチを有し、上部が平袋型で、袋の外法の幅が上端部に対して底端部で狭い逆テーパー型のフィルム製の袋に粉末状物質を充填したものがある。この袋は、上面に開口部を有する箱形の容器本体と、容器本体の開口部を覆う蓋とを備えた箱形容器に収容して使用される。
【０００３】
また、この袋を容器本体内に置いた状態で袋上部を引き裂くと、袋は、その全幅にわたって開口し、開口した袋は袋内の粉末状物質によって容器本体の内壁に押しつけられる。そのため、袋は、容器本体の内壁に沿った箱形形状となり、広く開口する（特許文献１）。
【先行技術文献】
【特許文献】
【０００４】
【特許文献１】特開２０１２−２４０６８８号公報
【発明の概要】
【発明が解決しようとする課題】
【０００５】
上述の箱形容器に収容した詰替用袋では、箱形容器が一般に厚紙等で形成されるため不透明であり、袋自体も製品情報の印刷等のために不透明であるため、袋を収容した箱形容器の外観からは、袋内の粉末状物質の残量を知ることができない。また、箱形容器の蓋をあけて袋内の粉末状物質を使用する場合においても、袋は容器本体の内壁に沿った箱形形状をしているために、底面が見えるほど残量が少なくならないと、消費者は粉末状物質の残量が少なくなったことに気がつきにくい。そのため、消費者は、袋内の残量が残り僅かになって袋の底面が見え始めることにより、ようやく次に使用する詰替用袋を用意しておくべきことを知り、次に使用する詰替用袋の用意が間に合わない場合が生じる。
【０００６】
これに対し、詰替用袋の胴部を形成するフィルムの内面に粉末状物質の残量を示す目盛りや文字等の表示を印刷しておくことが考えられる。しかしながら、胴部を形成するフィルムの外面には商品情報等の印刷や加飾印刷が施されるため、このフィルムの内面に粉末状物質の残量を示す表示を施しても、外面の印刷が透けて映ってしまうためにわかりにくい。
【０００７】
詰替用袋の内面を見た場合に、その袋の外面の印刷が透けて見えないようにする方法としては、袋を形成するフィルムとして、袋の外面印刷と内面印刷との間に遮光層を有するものを使用することが考えられるが、袋の材料コストが高くなる。
【０００８】
一方、例えば、製品の外観からは「当たり」と「外れ」がわからないくじのように、アミューズメント的効果により消費者の購買意欲をそそる情報を詰替用袋に印刷できるようにすることも、詰替用袋の販売促進の観点からは有用である。
【０００９】
そこで、本発明が解決しようとする課題は、詰替用袋内の粉末状物質の残量等に関する情報やアミューズメント的効果を有する情報等を、明瞭かつタイムリーに、材料コストの増加を招かない簡便な手法で消費者に伝えられるようにすることに関する。
【課題を解決するための手段】
【００１０】
本発明者は、上述の詰替用袋において、マチを形成するフィルムの外面では、胴部を形成するフィルムの外面と異なって商品情報等の印刷や加飾印刷を省略することができ、したがって、マチを形成するフィルムの内面に粉末状物質の残量等を示す表示を設けると、その表示を見やすくすることが可能となり、また、箱形容器の容器本体内では、マチの両側部の三角状領域が容器本体の側面に沿って立ち上がっているので、この三角状領域の内面に、粉末状物質の残量等を示す表示を設けると、袋の底面が見えるほど粉末状物質の残量が僅かになる前に、消費者は、粉末状物質の残量が少なくなってきたことに気づき易くなることを見出し、本発明を想到した。
【００１１】
即ち、本発明は、上面に開口部を有する箱形の容器本体と、容器本体の開口部を覆う蓋とを備えた箱形容器に収容される、粉末状物質が充填されたフィルム製の詰替用袋であって、
袋底部にマチを有し、袋上部が平袋型であり、マチの両側部と袋胴部とが袋の底端部に対して傾いた斜めシール部でシールされ、袋の外法の幅が上端部に対して底端部で狭い逆テーパー型の形状を有し、
マチの袋内面の、少なくとも前記斜めシール部に隣接した三角状領域に、文字、記号又は図形が表示されている袋を提供する。
【発明の効果】
【００１２】
本発明の袋によれば、マチの袋内面に、文字、記号、又は図形により、袋内の粉末状物質の残量に関する情報、次の詰替用袋の準備を促す情報、くじ等のアミューズメント的効果を有する情報などを表示することができる。マチの袋外面では商品情報等の印刷や加飾印刷を省略することができるので、本発明によるマチの袋内面の表示は、袋の内側から明瞭にすることが可能となる。この場合に袋胴部の外表面には商品情報等の印刷や加飾印刷を任意に施すことができる。また、マチを形成するフィルムとしては、遮光層の無い一般的なものを使用することができる。
【００１３】
箱形容器の容器本体に袋を収容した状態で、マチの両側部の三角状領域は、容器本体の側面に沿って立ち上がっているので、袋の底面が見えるほど袋内の粉末状物質が僅かになる前にマチの両側部の三角状領域は観察される。
【００１４】
したがって、マチを形成するフィルムとして一般的なものを使用しつつ、袋内の粉末状物質が少なくなってきたことを消費者にタイムリーに知らせることが可能となる。
【００１５】
また、マチの袋内面に、「当たり」、「外れ」があるくじのようなアミューズメント的効果を有する情報を記載すると、その情報は、詰替用袋に収容されている粉末状物質をマチの両側部の三角状領域が見えるほどに消費した後に初めて消費者の前に現れるので、消費者はまめに粉末状物質を消費するようになり、詰替用袋の販売促進効果を得ることができる。
【図面の簡単な説明】
【００１６】
【図１】図１は、実施例の袋１０Ａの斜視図である。
【図２】図２は、粉末状物質が充填されていない袋１０Ａの(1)正面図、(2)Ａ−Ａ図及び(3)Ｂ−Ｂ図である。
【図３】図３は、箱形容器に入れた袋１０Ａの開封方法の説明図である。
【図４Ａ】図４Ａは、開口した袋１０Ａが収容されている箱形容器の蓋が開いている状態の斜視図である。
【図４Ｂ】図４Ｂは、開口した袋１０Ａが収容されている箱形容器の蓋が閉じている状態の斜視図である。
【図５Ａ】図５Ａは、実施例の袋１０Ａ内の粉末状物質の残量により異なる袋内の見え方の説明図である。
【図５Ｂ】図５Ｂは、実施例の袋１０Ａ内の粉末状物質の残量により異なる袋内の見え方の説明図である。
【図５Ｃ】図５Ｃは、実施例の袋１０Ａ内の粉末状物質の残量により異なる袋内の見え方の説明図である。
【図５Ｄ】図５Ｄは、実施例の袋１０Ａ内の粉末状物質の残量により異なる袋内の見え方の説明図である。
【図５Ｅ】図５Ｅは、実施例の袋１０Ａ内の粉末状物質の残量により異なる袋内の見え方の説明図である。
【図５Ｆ】図５Ｆは、実施例の袋１０Ａ内の粉末状物質の残量により異なる袋内の見え方の説明図である。
【図６Ａ】図６Ａは、マチの袋内面に形成する図柄の例の平面図である。
【図６Ｂ】図６Ｂは、マチの袋内面に形成する図柄の例の平面図である。
【図６Ｃ】図６Ｃは、マチの袋内面における情報の表示例である。
【図７Ａ】図７Ａは、実施例の袋１０Ａ内の製袋方法の説明図である。
【図７Ｂ】図７Ｂは、実施例の袋１０Ａ内の製袋方法の説明図である。
【図７Ｃ】図７Ｃは、実施例の袋１０Ａ内の製袋方法の説明図である。
【図７Ｄ】図７Ｄは、実施例の袋１０Ａ内の製袋方法の説明図である。
【図７Ｅ】図７Ｅは、実施例の袋１０Ａ内の製袋方法の説明図である。
【図７Ｆ】図７Ｆは、実施例の袋１０Ａ内の製袋方法の説明図である。
【発明を実施するための形態】
【００１７】
以下、図面を参照しつつ本発明を具体的に説明する。なお、各図中、同一符号は、同一、又は同等の構成要素を表している。
【００１８】
図１は、本発明の一実施例の、粉末状物質が充填されたフィルム製の袋１０Ａの斜視図である。図２は、説明の便宜上、粉末状物質を充填しない状態での袋１０Ａの正面図（１）、Ａ−Ａ図（２）、及びＢ−Ｂ図（３）を示したものである。
【００１９】
図２に示すように、この袋１０Ａでは、袋胴部を形成する表裏一対のフィルムシートがサイドシール１２でシールされ、底部のマチ１１を形成するフィルムと袋胴部を形成するフィルムシートとがヘムシール１４でシールされ、上端部がシール幅の広いトップシール１３でシールされている。このトップシール１３の幅Ｌ1は、トップシール１３を摘み、袋上部のサイドシール１２から袋１０Ａを引き裂きやすくするため、１０ｍｍ以上とすることが好ましい。
【００２０】
袋１０Ａの両側部のサイドシール１２の袋底部側ではマチ１１の両側部と袋胴部とが、袋１０Ａの底端部に対して傾いた帯状の斜めシール部１２ａでシールされている。この斜めシール部１２ａの縁辺と底端部の延長線との挟む角度θは、好ましくは４０°以上５０°以下、より好ましくは４５°である。これより、袋１０Ａの底部の外形が矩形になるので、袋１０Ａを箱形容器１の容器本体２に収容したときに、袋１０Ａの外形を容器本体２の内側形状にうまく沿わせることができる（図４Ａ参照）。なお、所謂船底型シールのように、サイドシール１２の側辺を底端部まで直線状に形成することもできるが、この袋１０Ａのように、斜めシール１２ａが形成されている袋底部側では胴部を形成する表裏のフィルム同士をシールしないことにより、袋１０Ａの底部が箱形に広がりやすくなり、袋１０Ａの外形が容器本体２の内側形状に沿い易くなる（図４Ａ参照）。また、袋１０Ａでは、底端部のヘムシール１４により、粉末状物質が袋１０Ａに充填されると、袋１０Ａの底部のマチ１１が袋１０Ａの厚み方向に広がり、詰替袋単体としての自立性が安定する。
【００２１】
マチ１１の袋内面の、少なくとも、斜めシール部１２ａに隣接した三角状領域１１ａ（図１でドットを付した領域）には、文字、記号又は図形が表示されている。これらの表示は、マチ１１の袋内面の全面に形成してもよい。一方、マチ１１の袋外面は、文字、記号、図形などが表示されていない無地となっている。
【００２２】
マチ１１の三角状領域１１ａは、袋１０Ａを箱形容器１の容器本体２に収容したときに、容器本体２の底部から側面に沿って立ち上がる。したがって、マチ１１の袋内面の三角状領域１１ａは、袋１０Ａ内の粉末状物質が十分に充填されている状態では袋１０Ａを内側から観察しても見えないが、粉末状物質の使用により、その残量が減少していくと徐々に現れ、現れる面積も増す。そこで、袋内面のうち少なくともマチ１１の三角状領域１１ａの何れか一方には、粉末状物質の残量に関する表示又は次の詰替袋の準備を促す表示を含めることが好ましい。このような表示の例としては、例えば、図６Ａに示す、次の詰替袋の準備を促す「詰め替え」等の文字列の繰り返しをあげることができる。図６Ｂに示すように、詰替袋の使用が環境負荷を減らすことから、間接的に詰替袋の準備を促す「ｅｃｏ」等の文字列の繰り返しを表示してもよい。図６Ｃに示すように、詰替袋の準備を促すと共に、箱形容器の使用上の注意点を表示したり、関連製品の案内を表示したりしてもよい。目盛り、残りの使用回数等を表示してもよい。また、粉末状物質の残量に関する表示又は次の詰替用袋の準備を促す表示と共に、あるいは、これらの表示とは別個に、くじの「当たり」、「はずれ」などのアミューズメント的効果を有する情報を表示してもよい。
【００２３】
マチ１１の袋内面の上述の表示の背景色には、粉末状物質と異なる色であって、三角状領域１１ａの出現が目立つ色とすることが好ましい。例えば、粉末状物質が白色の場合に、マチ１１の袋内面の背景色を濃度の高い色等とする。
【００２４】
袋１０Ａの上部は、トップシール１３とサイドシール１２により平袋型となっている。このため、図２に示すように、底端部における袋１０Ａの外法の幅Ｗ1 が、袋１０Ａの上端部における袋の外法の幅Ｗ2 よりも狭くなり、袋１０Ａに粉末状物質が充填されると、図１に示すように、上端部に対して下端部の幅が狭い逆テーパー型となり、マチ１１により形成される底部の面積を容器本体２の底面の面積と同等以下にすることができる。したがって、容器本体２内の袋１０Ａを詰め替えるときに、容易に袋１０Ａを容器本体２に挿入することができる。
【００２５】
トップシール１３上には、帯状のフィルム補強部材１５が、トップシール１３の下辺とフィルム補強部材１５の下辺とが重なるように貼着されている。このフィルム補強部材１５は、袋１０Ａに、その幅方向の引裂直進性を付与する。即ち、袋１０Ａを容器本体２内に置き、トップシール１３を摘み上げてサイドシール１２の上部から袋１０Ａを引き裂くと、袋１０Ａはフィルム補強部材１５の下辺に沿って直線的に引き裂かれ易くなる。なお、袋１０Ａの幅方向の引裂直進性は、袋１０Ａの胴部を形成するフィルムとして引裂直進性を有するものを使用することによっても付与され、本発明においてトップシール１３は、必要に応じて設けられる。
【００２６】
フィルム補強部材１５の帯幅Ｌ2は、フィルム補強部材１５の貼着効果を十分に得る点から、３ｍｍ以上とすることが好ましい。フィルム補強部材１５を形成するフィルムとしては、ＯＰＰ（ニ軸延伸ポリプロピレン）、ＰＥＴ、ＯＮｙ（二軸延伸ナイロン）等のフィルムを使用することができる。これらのフィルム厚は、袋１０Ａを開封するときの開封ラインの引裂直進性を向上させる点、及びトップシール１３をシールするときにシールバーとフィルムとに段差ができないようにする点から３０μｍ以下が好ましく、１２μｍ以上５０μｍ以下がより好ましい。
【００２７】
サイドシール１２は袋１０Ａの両側部において上下方向に延びており、袋上部のサイドシール１２内には、開封開始部としてＶ字型に切り込まれたノッチ２３が設けられている。なお、本発明において、開封開始部として、Ｖ字型ノッチに代えてＩ字型ノッチ、Ｕ字型ノッチ等を設けてもよい。
【００２８】
開封開始部における開封開始点（ノッチ２３の開封方向の先端）とフィルム補強部材１５との距離Ｌ5は、開封のし易さを向上させる点から、１０ｍｍ以内とすることが好ましく、５ｍｍ以内とすることがより好ましい。また、開封開始部における開封開始点と袋１０Ａの底端部との距離Ｌ6は、開封した袋１０Ａが容器本体２に収容されている状態で、袋１０Ａの開口面が容器本体２の開口面と揃うか、袋１０Ａの開口面が容器本体２の開口面よりも若干下に位置するように、容器本体２の深さとこの距離Ｌ6との差が５ｍｍ以上０ｍｍ以下となるようにすることが好ましい。
【００２９】
袋１０Ａの胴部の周長は、容器本体２の内寸の周長と略同寸とすることが好ましい。これにより、図４Ａに示すように、袋１０Ａをノッチ２３から開封した後は、袋１０Ａ内の粉末状物質Ｐが広がろうとすることにより、袋１０Ａの周面の略全面が容器本体３０の内壁に押し付けられる。このため、袋１０Ａは開口形状が広く安定し、粉末状物質Ｐを計量スプーンで取り出しやすくなる。ここで、略同寸とは、容器本体２内で袋１０Ａの上端開口部が内側に倒れず、かつ袋１０Ａの上端部にたるみができない程度に袋１０Ａの開口部口の周長と容器本体２の内寸の周長が同程度であることをいう。
【００３０】
袋１０Ａの胴部を形成するフィルムとしては、ポリエチレンテレフタレート等のポリエステル、ナイロン等のポリアミド、低密度ポリエチレン(LDPE)、リニア低密度ポリエチレン(L-LDPE)、延伸ポリプロピレン（OPP）、無延伸ポリプロピレン（CPP）等のオレフィン系フィルム等が挙げられ、単層又は積層フィルムとして使用できる。中でも、延伸などにより引裂直進性を有するフィルムが好ましく、特に、袋１０Ａを形成するフィルムを外側表層及び／又は中間層と内側シーラント層とを備えた積層フィルムとする場合、内側シーラント層と、外側表層及び／又は中間層がそれぞれ袋の幅方向の引裂直進性を有することが好ましい。内側シーラント層で引裂直進性を有するものとしては、リニア低密度ポリエチレン(L-LDPE)等に対して易カット加工を施したものが好ましい。
【００３１】
なお、引裂直進性を有するフィルムを使用する場合に、袋１０Ａの全体で使用してもよいが、落下などに対して袋底部の耐衝撃性を向上させる点から、袋底部のマチ１１を形成するフィルムとしては、引裂直進性をもたない一般物性の積層フィルム（OPP,PET,LDPE,L-LDPE）を使用することが好ましい。
【００３２】
袋１０Ａの胴部を形成するフィルムの厚さとしては、内容物が無い状態でも袋１０Ａが自立する程度にフィルムがコシを有するように、好ましくは４０μｍ以上２００μｍ以下、より好ましくは１００μ以上１５０μｍ以下とする。これにより、袋１０Ａを開封後、袋１０Ａ内の粉末状物質の使用に伴って粉末状物質が減り、粉末状物質が袋１０Ａを容器本体２の内壁に押し付ける位置が下がっても、袋１０Ａが開口状態を維持し、粉末状物質の取り出しやすさを保つことができる。なお、袋１０Ａの自立性は、前述のように、袋１０Ａの底部にヘムシール１４を形成することによっても向上させることができる。
【００３３】
図７Ａ〜図７Ｆは、この袋１０Ａの製袋方法の一例の工程説明図である。まず、図７Ａに示すように、マチ１１を形成するための引裂直進性を持たないフィルム110であって、袋の内面となる面に、物質の残量に関する表示又は次の詰替袋の準備を促す表示を印刷し、袋の外面となる面を無地としたものを、袋の内面となる面を外側にして２つ折りにし、その上下に、袋胴部を形成するための引裂直進性を有する長尺帯状のフィルム100を積層する。次いで、図７Ｂに示すように、サイドシール１２となるシール120と、ヘムシール１４となる連続シール140を形成し、図７Ｃに示すように、長尺帯状のフィルム補強部材150を位置合わせしながら配置し、ローラーでしごいて貼り合わせる。その後、図７Ｄに示すように、隣り合う袋のサイドシール１２の切り離しと、底部のＶカットと、ノッチ２３の形成を行う。こうして図７Ｅに示す袋１０Ｘを得、この袋１０Ｘの上端開口部から内容物である粉末状物質を充填し、その後トップシール１３で袋を閉じる。こうして図１の袋１０Ａを得ることができる。
【００３４】
一方、袋１０Ａを収容する箱形容器１の容器本体２としては、板紙、プラスチックシート、プラスチックボックス等の板紙状材料を用いて形成された直方体型の容器とすることができる。また、容器本体２の蓋３は、容器本体２の上面開口部を覆うものであればよく、例えば、その一縁辺が容器本体２の背面とヒンジ状に結合したものを使用することができる（図４Ａ、図４Ｂ参照）。
【００３５】
この袋１０Ａは、粉末状物質を箱形容器１内で使用するための詰替用製品として使用される。そこで、この袋１０Ａの具体的は使用方法としては、まず、粉末状物質が充填された未開封の袋１０Ａを箱形容器１の容器本体２内に置き、次いで、図３に示すように、袋本体１０Ａを容器本体２に置いた状態で、ノッチ２３から袋１０Ａをその幅方向に引き裂く。これにより袋１０Ａは、全幅にわたって直線的に引き裂かれ、袋１０Ａの上端部が除去され、残った袋１０Ａは、図４Ａに示すように、袋１０Ａ内の粉末状物質Ｐによって容器本体２の内壁に矢印で示すように押し付けられ、広く開口する。この状態で粉末状物質Ｐを適宜取り出した後は図４Ｂに示すように、蓋３で容器本体２の開口面を閉じる。
【００３６】
こうして袋１０Ａから粉末状物質Ｐを取り出す際に、当初は、マチの三角状領域１１ａは粉末状物質Ｐに埋まって見ることができないが（図５Ａ）、取り出しの繰り返しに伴い、袋１０Ａ内の粉末状物質Ｐの残量が減ってくると、マチ１１の三角状領域１１ａが現れ（図５Ｂ）、さらに、三角状領域１１ａの現れる面積が徐々に大きくなる（図５Ｃ、図５Ｄ）。そして、詰替容器２の底面上に沿ったマチ１１の中央部も現れ始め（図５Ｅ）、マチ１１の中央部の現れる面積が大きくなる（図５Ｆ）。
【００３７】
このマチ１１の袋内面の三角状領域１１ａやマチ１１の中央部には、粉末状物質Ｐの残量に関する表示、次の詰替用袋の準備を促す表示、アミューズメント的効果を有する表示などが施されているから、消費者は、マチ１１の三角状領域１１ａが見え始めると、この表示に気づき、次に使用する詰替用袋を準備すべきことを知る。あるいは、マチ１１の三角状領域１１ａの見える面積が大きくなっていくことにより、消費者は、次に使用する詰替用袋を準備することが促される。こうして、消費者は、タイムリーに次に使用する詰替用袋を準備することができる。また、アミューズメント的効果を有する表示がマチ１１に表示されている場合には、消費者は、その表示を楽しむことができる。
【００３８】
本発明の袋は種々の態様をとることができる。例えば、袋への引裂直進性の付与は、フィルム補強部材１５の貼着によらず、トップシールの下辺に沿った帯状領域に、エンボス、ハーフカット、又は切り込み等を断続的に形成した易開封加工領域を設けてもよい。
【００３９】
なお、上述の袋の変形態様は、適宜組み合わせることができる。
【００４０】
袋に充填する粉末状物質としては、粉末洗剤、砂糖、塩等の顆粒ないし粉末の粉末状物質をあげることができる。粉末状物質が袋を容器本体２の内壁に押しつける作用により袋を広く開かせる点で、粉末状物質の嵩密度は７００ｇ／Ｌ以上が好ましい。
【産業上の利用可能性】
【００４１】
本発明の袋は、粉末洗剤等の粉末状物質の詰替用品として好適である。
【符号の説明】
【００４２】
１    箱形容器
２    容器本体
３    蓋
１０Ａ  袋
１１    マチ
１１ａ  マチの三角状領域
１２    サイドシール
１２ａ  斜めシール部
１３    トップシール
１４    ヘムシール
１５    フィルム補強部材
２０    縁辺
２３    ノッチ
100    フィルム
110    フィルム
120    シール
140    連続シール
150    フィルム補強部材
Ｌ1     トップシールのシール幅
Ｌ2     フィルム補強部材の帯幅
Ｌ5     開封開始点とトップシールとの距離
Ｌ6     開封開始点と袋の底端部との距離
Ｐ      粉末状物質
Ｗ1     底端部における袋の外法の幅
Ｗ2     上端部における袋の外法の幅
【図１】
2015013665.tif 000003
【図２】
2015013665.tif 000004
【図３】
2015013665.tif 000005
【図４Ａ】
2015013665.tif 000006
【図４Ｂ】
2015013665.tif 000007
【図５Ａ】
2015013665.tif 000008
【図５Ｂ】
2015013665.tif 000009
【図５Ｃ】
2015013665.tif 000010
【図５Ｄ】
2015013665.tif 000011
【図５Ｅ】
2015013665.tif 000012
【図５Ｆ】
2015013665.tif 000013
【図６Ａ】
2015013665.tif 000014
【図６Ｂ】
2015013665.tif 000015
【図６Ｃ】
2015013665.tif 000016
【図７Ａ】
2015013665.tif 000017
【図７Ｂ】
2015013665.tif 000018
【図７Ｃ】
2015013665.tif 000019
【図７Ｄ】
2015013665.tif 000020
【図７Ｅ】
2015013665.tif 000021
【図７Ｆ】
2015013665.tif 000022